(57)【要約】【課題】複数のユーザによって共同で行われる対象への花の贈答を、効率的に行う為の共同贈答方法を提供することを課題とする。【解決手段】対象情報に基づいて贈答に参加するユーザを募り、複数のユーザが共同で対象への花の贈答を行う為の共同贈答システムであって、贈答に参加するユーザを募る為の募集画面を表示する募集表示手段と、前記募集画面を介して、ユーザ情報及び該ユーザによって購入される贈答量を受付情報として受け取る受付手段と、前記受付情報に基づいてユーザによる決済情報を生成する決済手段と、ユーザの購入情報に基づいて、対象への贈答状況を集計する集計手段と、を備えることを特徴とする。【選択図】図１
2017157105.tif 000002
【特許請求の範囲】
【請求項１】
対象情報に基づいて贈答に参加するユーザを募り、複数のユーザが共同で対象への花の贈答を行う為の共同贈答システムであって、
贈答に参加するユーザを募る為の募集画面を表示する募集表示手段と、
前記募集画面を介して、ユーザ情報及び該ユーザによって購入される贈答量を受付情報として受け取る受付手段と、
前記受付情報に基づいてユーザによる決済情報を生成する決済手段と、
ユーザの購入情報に基づいて、対象への贈答状況を集計する集計手段と、を備えることを特徴とする共同贈答システム。
【請求項２】
前記募集表示手段は、前記贈答状況に応じて集計した贈答量を表示する相対表示手段を備えることを特徴とする請求項１に記載の共同贈答システム。
【請求項３】
贈答に参加したユーザの一覧を出力する一覧出力手段を備えることを特徴とする請求項１又は請求項２の何れかに記載の共同贈答システム。
【請求項４】
前記一覧出力手段で出力される一覧は、贈答量に応じてソートされることを特徴とする請求項３に記載の共同贈答システム。
【請求項５】
贈答の対象となる対象情報を登録する登録手段を備え、
前記登録手段は、前記受付手段を介してユーザに入力される前記ユーザ情報を指定可能であることを特徴とする請求項１〜４の何れかに記載の共同贈答システム。
【請求項６】
前記募集表示手段は、贈答状況に応じて変化する、対象に贈答される２種類以上の花のデザインを表示するデザイン表示手段を備えることを特徴とする請求項１〜５の何れかに記載の共同贈答システム。
【請求項７】
前記募集表示手段は、対象へ贈答可能な２種類以上の花を表示し、ユーザから対象へ贈答する花を決定する為の投票を受け付ける投票手段を備えることを特徴とする請求項１〜６の何れかに記載の共同贈答システム。
【請求項８】
前記募集表示手段は、ユーザより、対象へ贈答する花のデザイン情報を受け付けるデザイン受付手段を備えることを特徴とする請求項１〜７の何れかに記載の共同贈答システム。
【請求項９】
対象情報に基づいて贈答に参加するユーザを募り、複数のユーザが共同で対象への花の贈答を行う為の共同贈答サーバであって、
贈答に参加するユーザを募る為の募集画面を表示する募集表示手段と、
前記募集画面を介して、ユーザ情報及び該ユーザによって購入される贈答量を受付情報として受け取る受付手段と、
前記受付情報に基づいてユーザによる決済情報を生成する決済手段と、
ユーザの購入情報に基づいて、対象への贈答状況を集計する集計手段と、を備えることを特徴とする共同贈答サーバ。
【請求項１０】
対象情報に基づいて贈答に参加するユーザを募り、複数のユーザが共同で対象への花の贈答を行う為の共同贈答プログラムであって、
コンピュータを、贈答に参加するユーザを募る為の募集画面を表示する募集表示手段と、
前記募集画面を介して、ユーザ情報及び該ユーザによって購入される贈答量を受付情報として受け取る受付手段と、
前記受付情報に基づいてユーザによる決済情報を生成する決済手段と、
ユーザの購入情報に基づいて、対象への贈答状況を集計する集計手段と、として機能させることを特徴とする共同贈答プログラム。
【発明の詳細な説明】
【技術分野】
【０００１】
本発明は、複数のユーザが共同で対象に花を贈るための共同贈答システムに関するものである。
【背景技術】
【０００２】
従来、複数人が共同して対象にプレゼント（贈答品）を送ることが行われている。共同でのプレゼントを効率化する技術として、ネットワークを介して、複数のユーザが共同して対象にプレゼントを行う為のシステムが知られている。
【０００３】
例えば、プレゼントを企画するユーザからの要求に基づき、プレゼントを受け取る受取人情報、参加候補者情報、贈答品情報、決済方式情報が含まれるプレゼント企画情報を取得し、受けとったプレゼント企画情報及び参加者情報に基づき決済処理を行うソーシャルネットワーキングサービス提供サーバが知られている（特許文献１）。
【先行技術文献】
【特許文献】
【０００４】
【特許文献１】特願２０１２−１１３４９３号公報
【発明の概要】
【発明が解決しようとする課題】
【０００５】
ところで、イベントやコンサート、スポーツの試合といった興行や、パーティー、セレモニー等において、複数の主体が共同して、いわゆる会場花、スタンド花と呼ばれる花を対象に贈答することが行われている。また特に、アーティスト、スポーツ選手、タレント、団体等といった対象に対して、ファン一同から花を贈答し、会場に配送、設置することが行われている。
【０００６】
このような花の贈答は、代表者によって管理され行われてきた。しかし、代表者に多大な作業負担が生じること、贈答品の金額が集められた集計額と見合ったものなのか、贈答の参加者に不透明なことから、より明瞭かつ効率的に花の贈答を行うことが可能な方法が求められていた。
【０００７】
しかしながら、前述した従来の技術には、つぎのような改善すべき問題点が残されており、上述した花の贈答には適用することができない。
【０００８】
特許文献１に記載の贈答方法では、対象へ贈答する１以上の物品が予めプレゼント企画として決定されている。そのため、複数のユーザから集まった負担金額の合計額に応じて、最終的に購入を行う商品を決定することができない。そのため、合計額に応じて、より豪華な花や、より多くの花を贈答することは出来ない。
【０００９】
また、共同でプレゼントを行う複数のユーザが、ソーシャルネットワーキングサービス上で関係性を有するユーザである。そのため、プレゼントを行うユーザとソーシャルネットワーキングサービス上の関係性が無いことによって、花の贈答を行いたくても行うことができないユーザが発生してしまう。
【００１０】
本発明は、このような従来の問題点に鑑みてなされたもので、複数のユーザによって共同で行われる対象への花の贈答を、効率的に行う為の共同贈答方法を提供することを解決すべき課題とする。
【課題を解決するための手段】
【００１１】
上記課題を解決するために、本発明は、対象情報に基づいて贈答に参加するユーザを募り、複数のユーザが共同で対象への花の贈答を行う為の共同贈答システムであって、
贈答に参加するユーザを募る為の募集画面を表示する募集表示手段と、
前記募集画面を介して、ユーザ情報及び該ユーザによって購入される贈答量を受付情報として受け取る受付手段と、
前記受付情報に基づいてユーザによる決済情報を生成する決済手段と、
ユーザの購入情報に基づいて、対象への贈答状況を集計する集計手段と、を備えることを特徴とする。
【００１２】
このような構成とすることで、複数のユーザが共同して対象に花を贈答する為の共同贈答システムを提供することができる。
【００１３】
また、これまで人づてに行われていた花の贈答を、インターネットを介して複数のユーザで行うことが可能となり、これまで人脈が無く贈答に参加できなかったユーザも、贈答に参加することが可能となる。
【００１４】
本発明の好ましい形態では、前記募集表示手段は、前記贈答状況に応じて集計した贈答量を表示する相対表示手段を備えることを特徴とする。
このような構成とすることで、現在どの程度贈答が行われているのかをユーザが把握することが可能となり、ユーザによる贈答の動機づけが生じる。
【００１５】
本発明の好ましい形態では、贈答に参加したユーザの一覧を出力する一覧出力手段を備えることを特徴とする。
また、本発明の好ましい形態では、前記一覧出力手段で出力される一覧は、贈答量に応じてソートされることを特徴とする。
このような構成とすることで、贈答に参加したユーザの一覧を取得し、利用を行うことが可能となる。また、贈答量順にソートして一覧を出力することで、ユーザによる贈答の動機付けが生じる。
【００１６】
本発明の好ましい形態では、贈答の対象となる対象情報を登録する登録手段を備え、
前記登録手段は、前記受付手段を介してユーザに入力される前記ユーザ情報を指定可能であることを特徴とする。
このような構成とすることで、任意の項目についてユーザの情報を取得することができ、取得したユーザ情報を好適に活用することができる。
【００１７】
本発明の好ましい形態では、前記募集表示手段は、贈答状況に応じて変化する、対象に贈答される２種類以上の花のデザインを表示するデザイン表示手段を備えることを特徴とする。
また、本発明の好ましい形態では、前記募集表示手段は、対象へ贈答可能な２種類以上の花を表示し、ユーザから対象へ贈答する花を決定する為の投票を受け付ける投票手段を備えることを特徴とする。
また、本発明の好ましい形態では、前記受付情報を入力したユーザに対して、前記贈答情報に基づいて特典を提供する特典提供手段を備えることを特徴とする。
このような構成とすることで、ユーザによる贈答の動機づけが生じる。
【００１８】
本発明の好ましい形態では、ユーザより、対象へ贈答する花のデザイン情報を受け付けるデザイン受付手段を備えることを特徴とする。
このような構成とすることで、ユーザよるデザインに基づいて、花の贈答を行うことができる。
【００１９】
本発明は、対象情報に基づいて贈答に参加するユーザを募り、複数のユーザが共同で対象への花の贈答を行う為の共同贈答サーバであって、
贈答に参加するユーザを募る為の募集画面を表示する募集表示手段と、
前記募集画面を介して、ユーザ情報及び該ユーザによって購入される贈答量を受付情報として受け取る受付手段と、
前記受付情報に基づいてユーザによる決済情報を生成する決済手段と、
ユーザの購入情報に基づいて、対象への贈答状況を集計する集計手段と、を備えることを特徴とする。
【００２０】
本発明は、対象情報に基づいて贈答に参加するユーザを募り、複数のユーザが共同で対象への花の贈答を行う為の共同贈答プログラムであって、
コンピュータを、贈答に参加するユーザを募る為の募集画面を表示する募集表示手段と、
前記募集画面を介して、ユーザ情報及び該ユーザによって購入される贈答量を受付情報として受け取る受付手段と、
前記受付情報に基づいてユーザによる決済情報を生成する決済手段と、
ユーザの購入情報に基づいて、対象への贈答状況を集計する集計手段と、として機能させることを特徴とする。
【発明の効果】
【００２１】
本発明によれば、複数のユーザによって共同で行われる対象への花の贈答を、効率的に行う為の共同贈答方法を提供することができる。
【図面の簡単な説明】
【００２２】
【図１】本発明の実施形態に関る共同贈答システムの概要を示す図である。
【図２】本発明の実施形態に関る共同贈答サーバのハードウェア構成図である。
【図３】本発明の実施形態に関る記憶部に記憶された情報の一例を示す図である。
【図４】本発明の実施形態に関る共同贈答システムの機能ブロック図である。
【図５】本発明の実施形態に関るイベントを登録する際の画面表示例である。
【図６】本発明の実施形態に関る登録されたイベントに関する情報を閲覧する際の画面表示例である。
【図７】本発明の実施形態に関る登録されたイベントに関する情報を閲覧する際の画面表示例である。
【図８】本発明の実施形態に関る登録されたイベントに関する情報を閲覧する際の画面表示例である。
【図９】本発明の実施形態に関るイベント情報を登録する際の処理フローチャートである。
【図１０】本発明の実施形態に関るユーザが贈答を行う際の処理フローチャートである。
【図１１】本発明の実施形態に関る特典を受け取る際の処理フローチャートである。
【発明を実施するための形態】
【００２３】
以下、図面を用いて、本発明の実施形態に関る共同贈答システムについて説明する。なお、以下に示す実施形態は本発明の一例であり、本発明を以下の実施形態に限定するものではなく、様々な構成を採用することもできる。
【００２４】
例えば、本実施形態では共同贈答システムの構成、動作などについて説明するが、同様の構成の方法、装置、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２５】
本実施形態では、アーティストの公演のチケット販売を行うウェブサイトにおいて、ファンによる花の贈答を受け付ける際の例について説明する。また、対象としては、例えば、スポーツ選手、タレント等の特定の人物、特定の団体であってもよく、それらが行うコンサート、スポーツの試合、興行、パーティー、セレモニー等（以下イベントとする）に対して、複数のユーザが共同して花の贈答を行う。
【００２６】
ここで、実際に対象に贈答される贈答品である花とは、生花や造花、ブリザードフラワー等であってもよいし、それらの組み合わせであってもよい。加えて、花を保持する為のスタンド、鉢等の保持体や、デザイン性を高めるためのラッピング、生地、風船、置物、文字を記載するプレート等の装飾体等を含んでいてもよい。
【００２７】
図１は、本発明の実施形態に関る共同贈答システムの概要を示す図である。符号１は共同贈答サーバを示し、符号２は共同贈答サービスを行う為に必要な情報を記憶する記憶部を示し、符号３は花の贈答を行うユーザが所持するユーザ端末を示し、符号４は花の贈答を行うユーザを募るためのイベント情報（対象情報）の登録等を行う管理者端末を示し、符号５はクレジットカード決済や決済代行サービス等、決済サービスを行う決済会社サーバを示している。
【００２８】
共同贈答サーバ１及びユーザ端末３、管理者端末４、決済会社サーバ５は、ネットワークＮを介して通信可能になされている。ユーザ端末３では、共同贈答サーバ１に要求を行うことで、対象への贈答を行う為の画面（募集画面）を表示させることができる。図示例では、１又は複数の記憶部２が共同贈答サーバ１の外部に設けられているが、サーバ１は、１又は複数の記憶部２を備えてもよい。また、後述する共同贈答サーバ１の機能構成が、複数のサーバ装置によって実現可能に成されていても構わない。
【００２９】
図２は、本発明の実施形態に係る共同贈答サーバ１のハードウェア構成の一例を示す図である。共同贈答サーバ１は、演算装置（ＣＰＵ１０１）と、主記憶装置（ＲＡＭ１０２）と、ＨＤＤやＳＳＤ、フラッシュメモリなどの補助記憶装置（記憶部１０３）と、外部の装置とネットワークＮを介して通信を行うためのインタフェースである通信部１０４と、キーボードやマウス等の入力部１０５と、ディスプレイ等の出力部１０６と、を備えている。また、記憶部１０３は、オペレーティングシステム１０７と、オペレーティングシステム１０７と協調してその機能を発揮する共同贈答プログラム１０８等が記録されている。
【００３０】
ユーザ端末３は、演算装置（ＣＰＵ）、主記憶装置（ＲＡＭ）、ＨＤＤやＳＳＤ、フラッシュメモリなどの補助記憶装置、ネットワークＮへの接続手段を含む各種の入出力装置など、そして、ウェブサイトの閲覧を行うためのブラウザソフトウェアを備える。ユーザ端末３として、パーソナルコンピュータやスマートフォン端末、携帯電話などの各種のコンピュータ装置を用いることができる。
【００３１】
管理者端末４は、演算装置（ＣＰＵ）、主記憶装置（ＲＡＭ）、ＨＤＤやＳＳＤ、フラッシュメモリなどの補助記憶装置、ネットワークＮへの接続手段を含む各種の入出力装置など、そして、管理画面の閲覧を行うための管理ソフトウェアを備える。管理者端末４として、ユーザ端末３と同様、パーソナルコンピュータやスマートフォン端末、携帯電話などの各種のコンピュータ装置を用いることができる。
【００３２】
図３は、記憶部２に記憶された情報の一例を示す図である。図３（ａ）に示すように、イベント情報２１は、イベントＩＤ２１ａと、イベント名やイベントの開催場所、開催日時等を有するイベント詳細情報２１ｂと、表示する画像（表示画像２１ｃ）と、イベントの説明文や説明画像、メール送信時や購入完了後の文章を有する詳細文情報２１ｄと、購入可能な口数の総数や一人あたりが購入可能な口数、一口当たりの単価を示す口数情報２１ｅと、受付時に取得する顧客情報を決定する顧客取得情報２１ｆと、利用可能な支払方法２１ｇと、花の発注を実施する為に最低限必要な実施可能口数２１ｈと、受付の募集期間２１ｉと、贈答する花に関する贈答品情報２１ｊと、を有する。
【００３３】
図３（ｂ）に示すように、ユーザ情報２２は、ユーザＩＤ２２ａを有している。また、顧客取得情報に応じて設定された、ユーザのニックネームや氏名等の名称情報２２ｂと、ユーザのメールアドレスや電話番号等の連絡先情報２２ｃと、生年月日２２ｄと、住所２２ｅと、の何れか選択された情報を有する。
【００３４】
図３（ｃ）に示すように、購入情報２３は、購入ＩＤ２３ａと、贈答の対象となったイベントＩＤ２３ｂと、贈答を行ったユーザのユーザＩＤ２３ｃと、購入された口数２３ｄと、購入金額２３ｅと、決済会社サーバ５より受け取った決済方式や決済会社、決済番号等を有する決済関連情報２３ｆと、を有する。
【００３５】
図３（ｄ）に示すように、発注先情報２４は、発注先ＩＤ２４ａと、発注先の名称情報２４ｂと、発注先の住所２４ｃと、発注先のメールアドレスや電話番号等の連絡先情報２４ｄと、発注先の担当者情報２４ｅと、を有する。
【００３６】
図３（ｅ）に示すように、発注履歴情報２５は、発注履歴ＩＤ２５ａと、発注した花が贈られるイベントのイベントＩＤ２５ｂと、花の発注を行った発注先ＩＤ２５ｃと、発注金額２５ｄと、発注したデザインなどの発注情報２５ｅと、注文日２５ｆと、花の送付先や送付日時等を有する送付先情報２５ｇと、を有する。
【００３７】
図３（ｆ）に示すように、特典情報２６は、特典ＩＤ２６ａと、イベントＩＤ２６ｂと、特典名称２６ｃと、画像や音楽、動画、物品、等の特典形式２６ｄと、を有している。また、ネットワークＮを介して配布される特典については、特典データを記憶した特典ＤＢ（図示せず）のパス２６ｅと、特典の提供期間２６ｆ（ダウンロード可能期間）と、を有している。
【００３８】
図３（ｇ）に示すように、特典履歴情報２７は、特典履歴ＩＤ２７ａと、特典ＩＤ２７ｂと、購入ＩＤ２７ｃと、を有している。ネットワークＮを介してユーザ端末３に配布される特典については、ユーザごとに生成された特典の配布ページへのリンクや、配布ページで入力するアクセスコードなどのアクセス情報２７ｄを有している。また、特典が物品の場合は、特典の発送状況などを有していてもよい。
【００３９】
図４は、本発明の実施形態に関る共同贈答システムの機能構成例を示す機能ブロック図である。共同贈答サーバ１は、登録手段１０を介して、管理者端末４からのイベント（対象情報）の登録を受け付ける。
【００４０】
図５は、登録手段１０によってイベントを登録する際の画面表示例である。イベントは、管理者端末４よりイベント登録画面にアクセスし、登録手段１０を介して登録される。本実施形態において、イベント情報２１及び、ユーザ情報２２の項目（図３（ａ）における顧客取得情報、図５における取得情報）が登録手段１０により登録される。
【００４１】
図示例では、イベント詳細情報２１ｂとしてアーティスト名、イベント名、日程、会場名、などが入力され、相対画像タイプとして表示画像２１ｃが入力され、詳細文や詳細文内使用画像、受付完了後に表示される完了画面文言、購入時や購入完了時などのメール送信時に表示されるメール送信文言として詳細文情報２１ｄが入力される。
【００４２】
また、贈答品情報２１ｊとして贈答される花と、投票の有無が設定され、口数情報２１ｅとして一口当たりの購入単価や口数設定が入力され、実施可能口数２１ｈとして最低限必要な購入口数（購入金額）が入力され、顧客取得情報２１ｆとして取得情報が入力され、支払方法２１ｇとして利用可能な決済の方法が入力され、募集期間２１ｉとして募集画面の公開期間が入力される。
【００４３】
なお、本例では、表示画像２１ｃとして、集計した金額や口数（贈答状況）に応じて変化する積上型又はパーセント達成型等の相対画像と、集計した金額や口数に応じて変化しない（贈答状況を表示させない）固定画像と、が選択可能になされている。
【００４４】
また、顧客取得情報２１ｆとして、贈答への参加（購入）を行ったユーザからどのような情報を取得するか、支払方法２１ｇとしてユーザが利用可能な決済方法を選択可能に構成されている。
【００４５】
加えて、贈答される花の量やデザインが贈答状況に応じて変化するような２以上のセットが贈答品情報（図示せず）として予め登録されており、贈答品情報２１ｊとして登録されたセットを選択するようになされている。指定した金額や口数の範囲で贈答される花のデザインを、イベント登録画面より任意に設定できるような構成を備えていてもよい。
【００４６】
投票が設定された場合には、複数種類のデザイン（贈答状況に応じて変化するセットの場合を含む）を提示し、投票手段１１３を介してユーザからの投票を受け付ける。投票は、贈答に参加（購入）する際や、購入後、任意のウェブページなどで実施される。購入した口数に応じて、投票手段１１３により投票可能な票数を変化させるように構成してもよい。
【００４７】
募集表示手段１１は、登録されたイベント情報２１に基づいて、ユーザ端末３に備えられたウェブブラウザからイベントに関する情報を閲覧可能に提供する。図６〜８は、ユーザ端末３（スマートフォン）において、登録されたイベントに関する情報を閲覧する際の募集画面の画面表示例である。
【００４８】
図６（ａ）は、イベントの一覧ページ（図示せず）から移動したり、イベントを検索することで表示されるイベントページ（募集画面）の画面表示例である。イベントページでは、イベント詳細情報２１ｂ等が表示され、公演のチケット購入ページに移動可能なリンク（図６（ａ）におけるTicket）と、花購入ページ（募集画面）に移動可能なリンク（図６（ａ）におけるFlower）が設けられている。そこから、花購入ページに移動可能なリンクを選択し、図６（ｂ）に示す花購入ページに移動する。
【００４９】
ユーザは、イベントが募集期間内であるか（募集期間２１ｉ）や、購入可能な口数上限に達していないか（口数情報２１ｅ）等の条件に適合した場合、贈答に参加することができる。花購入ページでは、相対表示手段１１１により相対画像（表示画像２１ｃ）が表示されており、他のユーザによってこれまでどの程度花が購入されているのか（どの程度贈答が行われているか）を確認することができる。また、口数情報２１ｅとして、一口当たりの金額と、購入を希望する口数が表示されている。ユーザは購入する口数を選択して決定（図６（ｂ）における選択をクリック）することで、図６（ｃ）に示すような、注文内容確認ページ（募集画面）に移動する。
【００５０】
なお、本例では、どの程度の口数が集まっているのかを確認する為の相対画像として、積上型とパーセント表示型の２種類を例示している。図８（ａ）及び図８（ｂ）は、積上型の相対画像を表示した際の画面表示例である。この場合、相対画像は、購入された口数が増えるほど、表示される花の量が増加するようになされている。図８（ｃ）は、パーセント表示型の相対画像を表示した際の画面表示例である。この場合、口数情報として、全体で購入可能な口数上限が設定されており、相対画像は、その口数上限に対してどの程度の口数が購入されているかを示すようになされている。
【００５１】
集まった口数を開示したくない対象については、購入された口数に応じて変化しない固定画像を表示したり、画像そのものを表示しないようにすることができる。また、共同贈答サーバ１は、募集期間内に実行可能口数に達さなかった対象に対して、対象に追加金額の請求を行う対象請求手段を備えていていもよい。
【００５２】
また、デザイン表示手段１１２を介して、贈答される花のデザインをイベントページや花購入ページ等で表示するように構成してもよい。更に投票設定がなされている場合は、花購入ページやその他任意のウェブページにおいて、贈答される花のデザイン（セットの場合を含む）を複数提示し、ユーザからの投票を受け付けるように構成してもよい。
【００５３】
更に、デザイン受付手段１１４を介して、贈答される花のデザインのイラストや画像等をユーザより受け付け、そのデザインに基づいて花を発注するように構成してもよい。また、デザイン表示手段１１２を介して、ユーザより受け取ったデザインを複数提示し、投票手段１１３を介して、ユーザからの投票を受け付けるように構成してもよい。
【００５４】
また、ユーザは、共有手段１１５により、ＳＮＳでの投稿やメール、メッセージアプリケーション等を介して、任意の人物に、イベントページや花の購入ページ等の募集画面等を共有することができる。
【００５５】
図６（ｃ）に示す注文内容確認ページでは、購入対象であるイベント並びに、単価及び口数に基づいて決定される贈答量の確認に併せて、イベント情報２１として登録された顧客取得情報２１ｆについて入力を促すように構成されている。顧客取得情報２１ｆが入力されたならば、ユーザはリンクを選択し（図６（ｃ）における注文）、図７（ａ）に示す、支払方法選択ページ（募集画面）に移動する。
【００５６】
支払方法選択ページでは、イベント情報２１として登録された支払方法２１ｇに基づいて、ユーザが支払方法を選択可能に構成されている。ユーザが支払方法を選択すると、受付手段１２によって購入が受け付けられ、顧客取得情報２１ｆとして入力された情報に基づいて、注文内容やユーザ情報２２が記録される。
【００５７】
また、決済手段１３によって決済情報が生成され、ユーザに出力される。本実施形態では、図７（ｂ）に示すように、ユーザ情報２２として記録されたメールアドレスに対して、決済のためのリンクを出力するように構成されている。支払方法選択ページなどからそのままウェブブラウザ上で決済ページに移動するように構成してもよい。
【００５８】
ユーザが決済を行うと、決済会社サーバ５より決済に関する決済関連情報２３ｆが出力される。決済受付手段１４は、この決済関連情報２３ｆを受け取り、購入情報２３として記憶する。この購入情報２３から、集計手段１５によって贈答状況が集計され、相対表示手段１１１による画像の変化や、花の発注等に利用される。
【００５９】
発注情報生成手段１６は、購入情報２３から集計された贈答量及び発注先情報２４に基づいて、花の発注情報を生成する。発注情報とは、例えば、花を贈答する為に集まった合計金額や口数、発注する花のデザイン、花を送付する送付先情報（イベントの実施場所や実施日時等）、イベント実施場所付近の発注先情報などである。
【００６０】
発注情報は、必要に応じて情報を付加され、発注手段１７によって発注先に出力される。発注が行われた発注情報は、注文日２５ｆ等を付加され、発注履歴情報２５として記録される。
【００６１】
一覧出力手段１８は、ある対象やイベントに対して購入を行ったユーザの一覧を出力する。本例では、購入情報２３より所定のイベントについて購入を行ったユーザを一覧で出力する。また、一覧を出力する際に、購入を行った口数や贈答を行った順番に応じて、ユーザを並べるように構成してもよい。
【００６２】
特典提供手段１９は、贈答に参加したユーザに特典を提供する。本例では、特典提供手段１９は、特典情報２６に登録されたイベントＩＤ２６ｂ及び購入情報２３、ユーザ情報２２に基づいて、ユーザに特典を提供する。例えば、連絡先情報２２ｃとして記憶されたユーザのメールアドレスに対して、特典をダウンロードする為のダウンロードページへのリンクや、特典ページを閲覧する為のアクセスコード等のアクセス情報２７ｄを送付することで、特典が配布される。特典が物品に関る場合には、特典をユーザに発送する為の発送リストに贈答に参加したユーザを追加したり、ユーザに発送フラグを設定することで、特典の発送が管理される。
【００６３】
次いで、図９を用いて、イベント情報２１を登録する際の処理を説明する。まず、管理者端末４に、イベント情報の一覧が表示される（ステップＳ１）。新規イベントを登録する場合（ステップＳ２でＹｅｓ）、ステップＳ５に進む。イベント情報の一覧から任意のイベント情報を編集する場合（ステップＳ２でＮｏ）、ステップＳ３に進み、イベント情報の呼び出しを行う（ステップＳ４）。
【００６４】
ステップＳ５では、図５に示すようなイベント登録画面から、イベント情報２１の入力（または編集）を行う。イベント情報が入力されたならば、入力された内容を確認し（ステップＳ６）、イベント情報２１を更新する（ステップＳ７）。
【００６５】
次いで、図１０を用いて、ユーザが贈答を行う際の処理を説明する。まず、ユーザ端末３に、イベントページが表示される（ステップＳ１１）。ユーザはイベントページから花購入ページに移動し、贈答への参加を行う。イベント情報２１において口数設定がなされている場合（ステップＳ１２でＹｅｓ）、ユーザは、購入する口数を選択して（ステップＳ１３）、注文を行う。イベント情報２１において口数設定がなされていない場合（ステップＳ１２でＮｏ）、ステップＳ１４に進む。
【００６６】
ステップＳ１４では、購入口数の上限に達しているか否かを判断する。既に購入可能な上限口数に達している、又はステップＳ１３で入力した口数が、残りの購入可能な口数より多い場合（ステップＳ１４でＹｅｓ）、処理を終了する。購入可能な上限口数に達していない、又はステップＳ１３で入力した口数が、残りの購入可能な口数以下の場合（ステップＳ１４でＮｏ）、ユーザ情報及び決済方法を入力して、ステップＳ１６にすすむ（ステップＳ１５）。ステップＳ１６では、受付手段１２によりユーザ情報及び注文内容を受け付ける。
【００６７】
ユーザは決済手段１３により生成された決済情報から決済ページに移動し、決済処理を行う（ステップＳ１７）。そして、購入情報を決済会社サーバ５より受け取り（ステップＳ１８）、購入情報２３を記憶する（ステップＳ１９）
【００６８】
次いで、図１１を用いて、特典（電子コンテンツ）を受け取る際の処理を説明する。まず、ユーザ端末３から特典のダウンロードページに移動し、特典の配信要求を行う（ステップＳ２１）。特典の配信要求は、贈答の参加者に送付されるリンク先に移動したり、特典をダウンロードする為のコード（アクセス情報２７ｄ）を入力することで行われる。特典履歴情報２７に該当するコードが登録されている場合（ステップＳ２２でＹｅｓ）、特典をユーザに提供する（ステップＳ２３）。
【００６９】
本発明によればこのような構成とすることで、複数のユーザが共同して対象に花を贈答する為の共同贈答システムを提供することができる。また、これまで人づてに行われていた花の贈答を、インターネットを介して複数のユーザで行うことが可能となり、これまで人脈が無く贈答に参加できなかったユーザも、贈答に参加することが可能となる。
【００７０】
また、受付手段によって任意の項目についてユーザの情報を取得することができ、取得したユーザ情報を好適に活用することができる。
【００７１】
また、贈答に参加したユーザの一覧を取得し、利用を行うことが可能となる。また、ユーザによる贈答の動機づけが生じ、より花の贈答を活性化することができる。
【符号の説明】
【００７２】
１  共同贈答サーバ
１０  登録手段
１０１  ＣＰＵ
１０２  ＲＡＭ
１０３  記憶部
１０４  通信部
１０５  入力部
１０６  出力部
１０７  オペレーティングシステム
１０８  共同贈答プログラム
１１  募集表示手段
１１１  相対表示手段
１１２  デザイン表示手段
１１３  投票手段
１１４  デザイン受付手段
１１５  共有手段
１２  受付手段
１３  決済手段
１４  決済受付手段
１５  集計手段
１６  発注情報生成手段
１７  発注手段
１８  一覧出力手段
１９  特典提供手段
２  記憶部
２０  配信情報
２１  イベント情報
２２  ユーザ情報
２３  購入情報
２４  発注先情報
２５  発注履歴情報
２６  特典情報
２７  特典履歴情報
３  ユーザ端末
４  管理者端末
５  決済会社サーバ
Ｎ  ネットワーク
【図１】
2017157105.tif 000003
【図２】
2017157105.tif 000004
【図３】
2017157105.tif 000005
【図４】
2017157105.tif 000006
【図５】
2017157105.tif 000007
【図６】
2017157105.tif 000008
【図７】
2017157105.tif 000009
【図８】
2017157105.tif 000010
【図９】
2017157105.tif 000011
【図１０】
2017157105.tif 000012
【図１１】
2017157105.tif 000013
【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
対象情報に基づいて贈答に参加するユーザを募り、複数のユーザが共同して特定の会場への花の配送を行う為の共同贈答システムであって、
贈答に参加するユーザを募る為の募集画面を表示する募集表示手段と、
前記募集画面を介して、ユーザ情報及び該ユーザによって購入される贈答量を受付情報として受け取る受付手段と、
前記受付情報に基づいてユーザによる決済情報を生成する決済手段と、
ユーザの購入情報に基づいて、対象への贈答状況を集計する集計手段と、を備え、
前記募集表示手段は、前記贈答状況に応じて集計した贈答量を表示する相対表示手段を備え、
前記決済手段は、前記贈答状況及び当該贈答に設定された購入可能な上限口数に基づいて購入の可否を判断し、購入可能な場合に前記決済情報を生成することを特徴とする共同贈答システム。
【請求項２】
前記相対表示手段は、前記贈答量に応じて絵柄が変化する相対画像を用いて、贈答量を視覚的に表示することを特徴とする請求項１に記載の共同贈答システム。
【請求項３】
贈答に参加したユーザの一覧を出力する一覧出力手段を備えることを特徴とする請求項１又は請求項２の何れかに記載の共同贈答システム。
【請求項４】
前記一覧出力手段で出力される一覧は、贈答量に応じてソートされることを特徴とする請求項３に記載の共同贈答システム。
【請求項５】
贈答の対象となる対象情報を登録する登録手段を備え、
前記登録手段は、前記受付手段を介してユーザに入力される前記ユーザ情報を指定可能であることを特徴とする請求項１〜４の何れかに記載の共同贈答システム。
【請求項６】
前記募集表示手段は、贈答状況に応じて変化する、対象に贈答される２種類以上の花のデザインを表示するデザイン表示手段を備えることを特徴とする請求項１〜５の何れかに記載の共同贈答システム。
【請求項７】
前記募集表示手段は、対象へ贈答可能な２種類以上の花を表示し、ユーザから対象へ贈答する花を決定する為の投票を受け付ける投票手段を備えることを特徴とする請求項１〜６の何れかに記載の共同贈答システム。
【請求項８】
前記募集表示手段は、ユーザより、対象へ贈答する花のデザイン情報を受け付けるデザイン受付手段を備えることを特徴とする請求項１〜７の何れかに記載の共同贈答システム。
【請求項９】
対象情報に基づいて贈答に参加するユーザを募り、複数のユーザが共同して特定の会場への花の配送を行う為の共同贈答サーバであって、
贈答に参加するユーザを募る為の募集画面を表示する募集表示手段と、
前記募集画面を介して、ユーザ情報及び該ユーザによって購入される贈答量を受付情報として受け取る受付手段と、
前記受付情報に基づいてユーザによる決済情報を生成する決済手段と、
ユーザの購入情報に基づいて、対象への贈答状況を集計する集計手段と、を備え、
前記募集表示手段は、前記贈答状況に応じて集計した贈答量を表示する相対表示手段を備え、
前記決済手段は、前記贈答状況及び当該贈答に設定された購入可能な上限口数に基づいて購入の可否を判断し、購入可能な場合に前記決済情報を生成することを特徴とする共同贈答サーバ。
【請求項１０】
対象情報に基づいて贈答に参加するユーザを募り、複数のユーザが共同して特定の会場への花の配送を行う為の共同贈答プログラムであって、
コンピュータを、贈答に参加するユーザを募る為の募集画面を表示する募集表示手段と、
前記募集画面を介して、ユーザ情報及び該ユーザによって購入される贈答量を受付情報として受け取る受付手段と、
前記受付情報に基づいてユーザによる決済情報を生成する決済手段と、
ユーザの購入情報に基づいて、対象への贈答状況を集計する集計手段と、として機能させ、
前記募集表示手段は、前記贈答状況に応じて集計した贈答量を表示し、
前記決済手段は、前記贈答状況及び当該贈答に設定された購入可能な上限口数に基づいて購入の可否を判断し、購入可能な場合に前記決済情報を生成することを特徴とする共同贈答プログラム。
【手続補正２】
【補正対象書類名】明細書
【補正対象項目名】００１１
【補正方法】変更
【補正の内容】
【００１１】
上記課題を解決するために、本発明は、対象情報に基づいて贈答に参加するユーザを募り、複数のユーザが共同して特定の会場への花の配送を行う為の共同贈答システムであって、
贈答に参加するユーザを募る為の募集画面を表示する募集表示手段と、
前記募集画面を介して、ユーザ情報及び該ユーザによって購入される贈答量を受付情報として受け取る受付手段と、
前記受付情報に基づいてユーザによる決済情報を生成する決済手段と、
ユーザの購入情報に基づいて、対象への贈答状況を集計する集計手段と、を備え、
前記募集表示手段は、前記贈答状況に応じて集計した贈答量を表示する相対表示手段を備え、
前記決済手段は、前記贈答状況及び当該贈答に設定された購入可能な上限口数に基づいて購入の可否を判断し、購入可能な場合に前記決済情報を生成することを特徴とする。
【手続補正３】
【補正対象書類名】明細書
【補正対象項目名】００１４
【補正方法】変更
【補正の内容】
【００１４】
本発明の好ましい形態では、前記相対表示手段は、前記贈答量に応じて絵柄が変化する相対画像を用いて、贈答量を視覚的に表示することを特徴とする。
このような構成とすることで、現在どの程度贈答が行われているのかをユーザが把握することが可能となり、ユーザによる贈答の動機づけが生じる。
【手続補正４】
【補正対象書類名】明細書
【補正対象項目名】００１９
【補正方法】変更
【補正の内容】
【００１９】
本発明は、対象情報に基づいて贈答に参加するユーザを募り、複数のユーザが共同して特定の会場への花の配送を行う為の共同贈答サーバであって、
贈答に参加するユーザを募る為の募集画面を表示する募集表示手段と、
前記募集画面を介して、ユーザ情報及び該ユーザによって購入される贈答量を受付情報として受け取る受付手段と、
前記受付情報に基づいてユーザによる決済情報を生成する決済手段と、
ユーザの購入情報に基づいて、対象への贈答状況を集計する集計手段と、を備え、
前記募集表示手段は、前記贈答状況に応じて集計した贈答量を表示する相対表示手段を備え、
前記決済手段は、前記贈答状況及び当該贈答に設定された購入可能な上限口数に基づいて購入の可否を判断し、購入可能な場合に前記決済情報を生成することを特徴とする。
【手続補正５】
【補正対象書類名】明細書
【補正対象項目名】００２０
【補正方法】変更
【補正の内容】
【００２０】
本発明は、対象情報に基づいて贈答に参加するユーザを募り、複数のユーザが共同して特定の会場への花の配送を行う為の共同贈答プログラムであって、
コンピュータを、贈答に参加するユーザを募る為の募集画面を表示する募集表示手段と、
前記募集画面を介して、ユーザ情報及び該ユーザによって購入される贈答量を受付情報として受け取る受付手段と、
前記受付情報に基づいてユーザによる決済情報を生成する決済手段と、
ユーザの購入情報に基づいて、対象への贈答状況を集計する集計手段と、として機能させ、
前記募集表示手段は、前記贈答状況に応じて集計した贈答量を表示し、
前記決済手段は、前記贈答状況及び当該贈答に設定された購入可能な上限口数に基づいて購入の可否を判断し、購入可能な場合に前記決済情報を生成することを特徴とする。
【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
対象情報に基づいて贈答に参加するユーザを募り、複数のユーザが共同して特定の会場への花の配送を行う為の共同贈答システムであって、
贈答に参加するユーザを募る為の募集画面を表示する募集表示手段と、
前記募集画面を介して、ユーザ情報及び該ユーザによって購入される口数を含む贈答量を受付情報として受け取る受付手段と、
前記受付情報に基づいてユーザによる決済情報を生成する決済手段と、
ユーザの購入情報に基づいて、対象への贈答状況を集計する集計手段と、を備え、
前記募集表示手段は、前記贈答状況に応じて集計した贈答量を表示する相対表示手段を備え、
前記決済手段は、前記贈答状況として集計された口数と、前記ユーザが購入する口数及び当該贈答に設定された購入可能な上限口数に基づいて購入の可否を判断し、購入可能な場合に前記決済情報を生成することを特徴とする共同贈答システム。
【請求項２】
前記相対表示手段は、前記贈答量に応じて絵柄が変化する相対画像を用いて、贈答量を視覚的に表示することを特徴とする請求項１に記載の共同贈答システム。
【請求項３】
贈答に参加したユーザの一覧を出力する一覧出力手段を備えることを特徴とする請求項１又は請求項２の何れかに記載の共同贈答システム。
【請求項４】
前記一覧出力手段で出力される一覧は、贈答量に応じてソートされることを特徴とする請求項３に記載の共同贈答システム。
【請求項５】
贈答の対象となる対象情報を登録する登録手段を備え、
前記登録手段は、前記受付手段を介してユーザに入力される前記ユーザ情報を指定可能であることを特徴とする請求項１〜４の何れかに記載の共同贈答システム。
【請求項６】
前記募集表示手段は、贈答状況に応じて変化する、対象に贈答される２種類以上の花のデザインを表示するデザイン表示手段を備えることを特徴とする請求項１〜５の何れかに記載の共同贈答システム。
【請求項７】
前記募集表示手段は、対象へ贈答可能な２種類以上の花を表示し、ユーザから対象へ贈答する花を決定する為の投票を受け付ける投票手段を備えることを特徴とする請求項１〜６の何れかに記載の共同贈答システム。
【請求項８】
前記募集表示手段は、ユーザより、対象へ贈答する花のデザイン情報を受け付けるデザイン受付手段を備えることを特徴とする請求項１〜７の何れかに記載の共同贈答システム。
【請求項９】
対象情報に基づいて贈答に参加するユーザを募り、複数のユーザが共同して特定の会場への花の配送を行う為の共同贈答サーバであって、
贈答に参加するユーザを募る為の募集画面を表示する募集表示手段と、
前記募集画面を介して、ユーザ情報及び該ユーザによって購入される口数を含む贈答量を受付情報として受け取る受付手段と、
前記受付情報に基づいてユーザによる決済情報を生成する決済手段と、
ユーザの購入情報に基づいて、対象への贈答状況を集計する集計手段と、を備え、
前記募集表示手段は、前記贈答状況に応じて集計した贈答量を表示する相対表示手段を備え、
前記決済手段は、前記贈答状況として集計された口数と、前記ユーザが購入する口数及び当該贈答に設定された購入可能な上限口数に基づいて購入の可否を判断し、購入可能な場合に前記決済情報を生成することを特徴とする共同贈答サーバ。
【請求項１０】
対象情報に基づいて贈答に参加するユーザを募り、複数のユーザが共同して特定の会場への花の配送を行う為の共同贈答プログラムであって、
コンピュータを、贈答に参加するユーザを募る為の募集画面を表示する募集表示手段と、
前記募集画面を介して、ユーザ情報及び該ユーザによって購入される口数を含む贈答量を受付情報として受け取る受付手段と、
前記受付情報に基づいてユーザによる決済情報を生成する決済手段と、
ユーザの購入情報に基づいて、対象への贈答状況を集計する集計手段と、として機能させ、
前記募集表示手段は、前記贈答状況に応じて集計した贈答量を表示し、
前記決済手段は、前記贈答状況として集計された口数と、前記ユーザが購入する口数及び当該贈答に設定された購入可能な上限口数に基づいて購入の可否を判断し、購入可能な場合に前記決済情報を生成することを特徴とする共同贈答プログラム。
【手続補正２】
【補正対象書類名】明細書
【補正対象項目名】００１１
【補正方法】変更
【補正の内容】
【００１１】
上記課題を解決するために、本発明は、対象情報に基づいて贈答に参加するユーザを募り、複数のユーザが共同して特定の会場への花の配送を行う為の共同贈答システムであって、
贈答に参加するユーザを募る為の募集画面を表示する募集表示手段と、
前記募集画面を介して、ユーザ情報及び該ユーザによって購入される口数を含む贈答量を受付情報として受け取る受付手段と、
前記受付情報に基づいてユーザによる決済情報を生成する決済手段と、
ユーザの購入情報に基づいて、対象への贈答状況を集計する集計手段と、を備え、
前記募集表示手段は、前記贈答状況に応じて集計した贈答量を表示する相対表示手段を備え、
前記決済手段は、前記贈答状況として集計された口数と、前記ユーザが購入する口数及び当該贈答に設定された購入可能な上限口数に基づいて購入の可否を判断し、購入可能な場合に前記決済情報を生成することを特徴とする。
【手続補正３】
【補正対象書類名】明細書
【補正対象項目名】００１９
【補正方法】変更
【補正の内容】
【００１９】
本発明は、対象情報に基づいて贈答に参加するユーザを募り、複数のユーザが共同して特定の会場への花の配送を行う為の共同贈答サーバであって、
贈答に参加するユーザを募る為の募集画面を表示する募集表示手段と、
前記募集画面を介して、ユーザ情報及び該ユーザによって購入される口数を含む贈答量を受付情報として受け取る受付手段と、
前記受付情報に基づいてユーザによる決済情報を生成する決済手段と、
ユーザの購入情報に基づいて、対象への贈答状況を集計する集計手段と、を備え、
前記募集表示手段は、前記贈答状況に応じて集計した贈答量を表示する相対表示手段を備え、
前記決済手段は、前記贈答状況として集計された口数と、前記ユーザが購入する口数及び当該贈答に設定された購入可能な上限口数に基づいて購入の可否を判断し、購入可能な場合に前記決済情報を生成することを特徴とする。
【手続補正４】
【補正対象書類名】明細書
【補正対象項目名】００２０
【補正方法】変更
【補正の内容】
【００２０】
本発明は、対象情報に基づいて贈答に参加するユーザを募り、複数のユーザが共同して特定の会場への花の配送を行う為の共同贈答プログラムであって、
コンピュータを、贈答に参加するユーザを募る為の募集画面を表示する募集表示手段と、
前記募集画面を介して、ユーザ情報及び該ユーザによって購入される口数を含む贈答量を受付情報として受け取る受付手段と、
前記受付情報に基づいてユーザによる決済情報を生成する決済手段と、
ユーザの購入情報に基づいて、対象への贈答状況を集計する集計手段と、として機能させ、
前記募集表示手段は、前記贈答状況に応じて集計した贈答量を表示し、
前記決済手段は、前記贈答状況として集計された口数と、前記ユーザが購入する口数及び当該贈答に設定された購入可能な上限口数に基づいて購入の可否を判断し、購入可能な場合に前記決済情報を生成することを特徴とする。